(57)【要約】【課題】高感度のバーコードリーダを用いた場合であっても、個別バーコードの誤認を十分に防止可能な集積包装体を提供する【解決手段】集積包装用フィルム３０は、フィルム基材と、フィルム基材上に形成された集積バーコード表示部３１とを備える。そして、集積バーコード表示部３１は、背景印刷領域３２と、背景印刷領域３２内に形成された集積バーコード３３と、少なくとも背景印刷領域３２内における集積バーコード３３と該領域の端部との間に形成された第１遮蔽バー３６とを有する。【選択図】図１
2014031177.tif 000002
【特許請求の範囲】
【請求項１】
フィルム基材と、
前記フィルム基材上に形成された集積バーコード表示部と、
を備え、複数の物品をまとめて包装する集積包装用フィルムにおいて、
前記集積バーコード表示部は、
背景印刷領域と、
前記背景印刷領域内に形成された集積バーコードと、
少なくとも前記背景印刷領域内における前記集積バーコードと該領域の端部との間に形成された第１遮蔽部と、
を有することを特徴とする集積包装用フィルム。
【請求項２】
請求項１に記載の集積包装用フィルムにおいて、
前記第１遮蔽部の少なくとも一部は、略直線状の第１遮蔽バーからなることを特徴とする集積包装用フィルム。
【請求項３】
請求項１又は２に記載の集積包装用フィルムにおいて、
前記第１遮蔽部は、前記背景印刷領域の一端部から他端部に亘って形成されていることを特徴とする集積包装用フィルム。
【請求項４】
請求項１〜３のいずれか１項に記載の集積包装用フィルムにおいて、
前記第１遮蔽部は、前記集積バーコードを構成する複数のバーに対して略垂直となる方向に形成されていることを特徴とする集積包装用フィルム。
【請求項５】
請求項１〜４のいずれか１項に記載の集積包装用フィルムにおいて、
前記背景印刷領域外に第２遮蔽部が形成されていることを特徴とする集積包装用フィルム。
【請求項６】
請求項５に記載の集積包装用フィルムにおいて、
前記第１遮蔽部と前記第２遮蔽部が連続して形成されていることを特徴とする集積包装用フィルム。
【請求項７】
請求項１〜６のいずれか１項に記載の集積包装用フィルムと、
個別バーコードをそれぞれ有する複数の物品と、
を備えた集積包装体であって、
前記集積包装用フィルムは、少なくとも前記第１遮蔽部及び前記第２遮蔽部のいずれか一つが前記個別バーコード上に位置した状態で前記物品を包装していることを特徴とする集積包装体。
【請求項８】
請求項７に記載の集積包装体であって、
前記集積包装用フィルムは、前記第１遮蔽部が前記個別バーコードを構成する複数のバーと略平行に形成されていることを特徴とする集積包装体。
【発明の詳細な説明】
【技術分野】
【０００１】
本発明は、集積包装用フィルム及び集積包装体に関する。
【背景技術】
【０００２】
複数の物品をまとめて包装する集積包装体には、背景印刷領域内に設けられた集積物用のバーコード（以下、「集積バーコード」という）が包装用フィルムに設けられる。各物品にも個別バーコードが設けられているが、集積物として販売される場合、集積バーコードがバーコードリーダで読み取られる。このとき、個別バーコードが誤って読み取られる（誤認）されることがあるため、個別バーコードを遮蔽する遮蔽部を設けた集積包装用フィルムが幾つか提案されている（例えば、特許文献１，２参照）。
【先行技術文献】
【特許文献】
【０００３】
【特許文献１】特開２００１−３９４６８号公報
【特許文献２】登録実案３００８９６８号公報
【発明の概要】
【発明が解決しようとする課題】
【０００４】
しかし、バーコードリーダの高感度化等に伴い、上記特許文献に開示されたフィルムでは、個別バーコードの誤認を十分に防止できなくなってきた。具体的には、背景印刷領域の下（背後）に個別バーコードが位置した場合、該背景印刷領域を透過してバーコードリーダが個別バーコードを読み取ることが増加しており、問題となっている。一方、図１１に示すように、個別バーコード２３を遮蔽する斜めの遮蔽バー１０２を集積バーコード表示部１０１の外側に複数設けたフィルム１００も提案されているが、これによっても背景印刷領域の下（背後）に位置する個別バーコード２３の誤認を十分に防止できない。
【課題を解決するための手段】
【０００５】
本発明に係る集積包装用フィルムは、フィルム基材と、前記フィルム基材上に形成された集積バーコード表示部とを備え、複数の物品をまとめて包装する集積包装用フィルムにおいて、前記集積バーコード表示部は、背景印刷領域と、前記背景印刷領域内に形成された集積バーコードと、少なくとも前記背景印刷領域内における前記集積バーコードと該領域の端部との間に形成された第１遮蔽部と、を有することを特徴とする。
【０００６】
バーコードリーダの高感度化等に伴い、集積バーコード表示部で覆われた個別バーコードであっても読み取られる場合があるが、上記構成によれば、第１遮蔽部によって当該読み取りを防止することができる。つまり、上記構成によれば、従来のフィルムでは対応できなかった個別バーコードの誤認を十分に防止できる。
【０００７】
本発明に係る集積包装用フィルムにおいて、前記第１遮蔽部の少なくとも一部は、略直線状の第１遮蔽バーからなることが好適である。また、前記第１遮蔽バーは、前記背景印刷領域の一端部から他端部に亘って形成されていることがより好適である。
当該構成によれば、個別バーコードの誤認をより高度に防止できる。
【０００８】
また、前記第１遮蔽部は、前記集積バーコードを構成する複数のバーに対して略垂直となる方向に形成されることが好適である。
個別バーコード上に集積バーコードが重なる場合、集積バーコードの読み取り性は、両バーコードのバーが互いに略平行となるよりも略垂直である方が良好である。上記構成によれば、両バーコードのバーが互いに略垂直となる場合に、例えば、第１遮蔽バーが個別バーコードのバーと略平行となるように重なることから個別バーコードの誤認が効果的に防止される。つまり、バーコードはバーの太さや隙間により情報を規定するが、この場合、第１遮蔽バーが個別バーコード内の一部のバー又は隙間を全域に渡って遮蔽するために、個別バーコードの読み取りが効果的に防止される。
【０００９】
また、前記第１遮蔽部は、前記背景印刷領域外に形成された第２遮蔽部と連続して形成された構成とすることができる。
当該構成によれば、第２遮蔽部によって、集積バーコード表示部に覆われていない個別バーコードの読み取りが防止される。そして、第１遮蔽部と前記第２遮蔽部を連続して形成することにより、例えば、遮蔽部の印刷が簡略化されると共に集積包装用フィルムの見栄えが良好になる。
【００１０】
本発明に係る集積包装体は、個別バーコードをそれぞれ有する複数の物品と、を備えた集積包装体であって、前記集積包装用フィルムは、少なくとも前記第１遮蔽部及び前記第２遮蔽部のいずれか一つが前記個別バーコード上に位置した状態で前記物品を包装していることを特徴とする。
【００１１】
本発明に係る集積包装体において、前記集積包装用フィルムは、前記第１遮蔽部が前記個別バーコードを構成する複数のバーと略平行に形成されていることが好適である。
【発明の効果】
【００１２】
本発明によれば、高感度のバーコードリーダを用いた場合であっても、個別バーコードの誤認を十分に防止可能な集積包装体を提供することができる。
【図面の簡単な説明】
【００１３】
【図１】本発明の第１実施形態である集積包装体を示す図である。
【図２】本発明の第１実施形態である集積包装用フィルムを示す図である。
【図３】図１に示す集積包装体の集積バーコード表示部の拡大図である。
【図４】本発明の第１実施形態である集積包装体の製造過程を示す図である。
【図５】本発明の第１実施形態の変形例を示す図である。
【図６】本発明の第１実施形態の変形例を示す図である。
【図７】本発明の第１実施形態の変形例を示す図である。
【図８】本発明の第１実施形態の変形例を示す図である。
【図９】本発明の第２実施形態である集積包装体を示す図である。
【図１０】本発明の第２実施形態の変形例を示す図である。
【図１１】従来の集積包装体を示す図である。
【発明を実施するための形態】
【００１４】
以下、図面を用いて、本発明の実施形態の一例について詳細に説明する。
なお、実施形態において参照する図面は、模式的に記載されたものであり、図面に描画された構成要素の寸法等は、現物と異なる場合がある。具体的な寸法等は、以下の説明を参酌して判断されるべきである。
【００１５】
本明細書において、略直線状、略垂直、略同一直線上、略平行等の記載は、実質的に直線状、実質的に垂直、実質的に同一直線上、実質的に平行とみなし得る状態を意味する。例えば、略垂直とは、対象Ａと対象Ｂとがなす角度が９０°±１０°程度である状態を意味する（対象Ａと対象Ｂとは互いに交わってなくてもよい）。
【００１６】
実施形態の説明では、集積包装体を構成する物品として、飲料等が充填されたビン容器である物品２０、及び食品等が充填された金属容器（缶詰等）である物品６０を例示するが、物品はこれに限定されず、例えば、プラスチックボトルや紙箱、乾電池等であってもよい。また、実施形態の説明では、「上下」、「左右」等の方向（通常の使用態様に基づく）を示す用語を使用するが、各構成要素と方向との関係が限定されるものではない。
【００１７】
＜第１実施形態＞
図１〜図８を参照しながら、本発明の第１実施形態である集積包装体１０、及びこれを構成する集積包装用フィルム３０について詳説する。
【００１８】
図１は、集積包装体１０を斜め上方から見た斜視図である（印刷層３９等省略）。
集積包装体１０は、複数の物品２０と、各物品２０をまとめて包装する集積包装用フィルム３０とを備える。集積包装体１０は、複数の物品２０の全体を集積包装用フィルム３０が包み込み、複数の物品２０が一列に並んだ包装形態を有する（第１実施形態において、物品２０の列に沿った方向を「左右方向」という場合がある）。図１に示す例では、４つの物品２０を集積包装しているが、物品２０の数は特に限定されない。また、物品２０の列は複数であってもよい。
【００１９】
物品２０は、飲料等が充填される胴部２１と、胴部２１に取り付けられたキャップ部２２とを有するビン容器である。胴部２１には、個別バーコード２３が設けられている。個別バーコード２３は、複数の直線状のバー２４が一の方向に対して互いに平行に並んで構成されており、例えば、バー２４の太さ、バー２４同士の間隔等により物品２０の品番や価格等の情報を規定している。即ち、個別バーコード２３は、複数のバー２４と各バー２４の間の隙間とにより構成されている。図１に示す例では、複数のバー２４が物品２０の上下方向に並んでいる。
【００２０】
集積包装用フィルム３０は、複数の物品２０を一列に並べて集積した集積物を包み込み、その端縁同士が接合されて集積物を密閉する。集積包装用フィルム３０は、熱収縮性を有することが好適であり、熱収縮することで各物品２０の形状に追従して装着され、各物品２０を結束する。
【００２１】
図２に、集積包装体１０を構成する集積包装用フィルム３０（熱収縮前）を示す。
集積包装用フィルム３０は、フィルム基材と、フィルム基材上に形成された集積バーコード表示部３１とを備える。集積バーコード表示部３１は、所望のインキを用いて、グラビア印刷等の印刷法により形成されることが好適である。フィルム基材上には、集積バーコード表示部３１の他にも、商品名や原材料、使用上の注意、各種デザイン等を表示する印刷層３９を形成することができる。また、フィルム基材上には、粘着剤層やアンカーコート層、印刷層３９の保護層などが形成されていてもよい。
【００２２】
なお、集積包装体１０は、生産性の観点から、長尺状フィルムを用いて製造されることが好ましい（後述の図４参照）。図２では個々のフィルムサイズにカットされた状態を示しているが、集積包装用フィルム３０は、物品２０に装着される前において、長尺体の形態であることが好ましい。
【００２３】
フィルム基材は、熱収縮性フィルムから構成されることが好適である。熱収縮性フィルムとしては、例えば、ポリエステル系樹脂（ポリエチレンテレフタレート、ポリ乳酸など）、ポリオレフィン系樹脂（ポリエチレン、ポリプロピレンなど）、ポリスチレン系樹脂（スチレン-ブタジエン共重合体など）、ポリ塩化ビニルなどの熱可塑性樹脂からなるフィルム、複数の樹脂の混合物からなるフィルム、複数のフィルムを積層した積層フィルム（異種積層フィルムを含む）が例示できる。熱収縮性フィルムは、例えば、一軸延伸又は二軸延伸されており、主延伸方向の熱収縮率が、２０〜９０％（９０℃の温水に１０秒間浸漬）であることが好ましい。
【００２４】
集積バーコード表示部３１は、背景印刷領域３２と、背景印刷領域３２内に形成された集積バーコード３３と、物品２０の個別バーコード２３を遮蔽する遮蔽部３５とを有する。集積バーコード表示部３１は全ての物品２０の個別バーコード２３上に位置することが好適であり、集積包装用フィルム３０は、かかる位置関係となるように物品２０を包装する。また、複数の物品２０を集積するときには、各個別バーコード２３が同じ方向を向くように並べることが好適である。図１に示す例では、背景印刷領域３２が１つ乃至２つの個別バーコード２３を覆っており、また残りの個別バーコード２３を含む全ての個別バーコード２３上に遮蔽部３５が位置している。
【００２５】
背景印刷領域３２は、例えば、集積バーコード３３の位置を特定し易くする機能を持つ。背景印刷領域３２は、フィルム基材上にベタ印刷層を形成して設けることができる。ベタ印刷層は、集積バーコード３３と異なる色で形成できるが、一般的には白色、黄色、水色等で形成された淡色系印刷層とされる。また、背景印刷領域３２は、平面視矩形状に形成できるが、形成パターンはこれに限定されない。また、背景印刷領域３２には、商品名等（例えば、○○○○○○  ５０ｍｌ×４本パック）が印字されている。
【００２６】
集積バーコード３３は、個別バーコード２３と同様に、複数の直線状のバー３４が一の方向に対して互いに平行に並んで構成されており、集積物の品番や価格等の情報を持つ。かかる情報は、例えば、バー３４の太さ、バー３４同士の間隔等により規定されている。図１に示す例では、複数のバー３４が各物品２０の列に沿った方向（左右方向）に並んでいる。即ち、バー３４は、上下方向に延びており、個別バーコード２３のバー２４に対して略垂直である。なお、集積バーコード３３には、上記情報を規定する数字も付されている。
【００２７】
遮蔽部３５は、背景印刷領域３２内における集積バーコード３３と該領域の端部との間に形成された第１遮蔽部である遮蔽バー３６と、背景印刷領域３２外に形成された第２遮蔽部である遮蔽バー３７とを含む。遮蔽バー３６，３７は、左右方向に延びた略直線状のバーである。遮蔽バー３６，３７は、その全長に亘って略直線状であるが、一部が非直線状であってもよい。
【００２８】
遮蔽バー３６は、背景印刷領域３２の一端部である左端部から他端部である右端部に亘って形成されている。遮蔽バー３７は、背景印刷領域３２の左端部及び右端部からそれぞれ延びている。具体的には、遮蔽バー３６の両端部から遮蔽バー３７が延びており、遮蔽バー３６，３７は、略同一直線上に形成されている。換言すると、遮蔽部３５は、１本の遮蔽バーが背景印刷領域３２を横切って左右両端部から突き出ている、或いは背景印刷領域３２外に形成された遮蔽バーが背景印刷領域３２内まで延びているといえる。いずれにしても連続的に設けられている。
【００２９】
遮蔽バー３６，３７の太さは、遮蔽機能向上等の観点から、特にバーの本数が少ない場合には個別バーコード２３のバー２４よりも太いことが好適である。遮蔽バー３６，３７の太さは、例えば、最も太いバー２４の２倍以上に設定される。また、遮蔽バー３６，３７は、バーコードリーダにより認識される色で形成される必要があり、例えば、黒色、濃灰色、濃青色、濃藍色、茶色、濃緑色等の濃色系印刷色とされる。背景印刷領域３２を淡色系、遮蔽バー３６，３７を濃色系とすることにより、両者のコントラストが大きくなって遮蔽バー３６，３７がバーコードリーダにより認識され易くなる。
【００３０】
遮蔽バー３６は、集積バーコード３３と背景印刷領域３２の上端部との間、具体的には集積バーコード３３と印字部分との間に形成されている。そして、遮蔽バー３６は、集積バーコード３３を構成する複数のバー３４に対して略垂直となる方向に形成されている。
【００３１】
図３に、集積包装体１０における集積バーコード表示部３１近傍の拡大図を示す。
集積包装用フィルム３０は、上記のように、遮蔽部３５が個別バーコード２３上に位置した状態で物品２０を包装している。そして、複数の物品２０のうち、１つ乃至２つの個別バーコード２３の一部が背景印刷領域３２により覆われている。なお、背景印刷領域３２の個別バーコード２３を覆う部分には、遮蔽バー３６が形成されている。即ち、個別バーコード２３上には、遮蔽バー３６が位置している。また、背景印刷領域３２に覆われない個別バーコード２３の残りの部分上には、遮蔽バー３７が位置している。
【００３２】
集積包装体１０では、集積バーコード３３のバー３４と個別バーコード２３のバー２４とが互いに略垂直となっている。これにより、集積バーコード３３を読み取る場合に、個別バーコード２３の影響を受け難く集積バーコード３３の読み取り性が向上する。そして、遮蔽バー３６はバー３４に対して略垂直となる方向に形成されているから、遮蔽バー３６及びこれと略同一直線上にある遮蔽バー３７は、個別バーコード２３上において、そのバー２４と略平行となる。全ての個別バーコード２３は、バー２４が延びる方向の全長に亘って遮蔽バー３６，３７により遮蔽されている。
【００３３】
図４を参照しながら、上記構成を備えた集積包装体１０の製造方法の一例を説明する。
集積包装体１０の製造過程では、まず、一列に並んで連続搬送される複数の物品２０に、集積包装用フィルム３０の長尺体３０ｚを被せる。具体的には、長尺体３０ｚを物品２０の搬送速度に合わせて送り出し、物品２０の上方から被せて下方に回り込ませ、複数の物品２０の全体を包み込む筒形状に形成する。このとき、物品２０の下方に回り込ませた部分に、長尺体３０ｚの長手方向に沿ったシール部４０を形成する。これにより、複数の物品２０が長尺体３０ｚの筒内に挿入された状態となる。
【００３４】
長尺体３０ｚの筒内に挿入される複数の物品２０の個別バーコード２３上に遮蔽バー３６，３７が位置するように、物品２０と集積包装用フィルム３０の位置関係が調整される。
【００３５】
続いて、複数の物品２０が挿入された長尺体３０ｚの筒をカットして、個々の包装体のサイズに分割する。このとき、カットと同時にシール部４１を形成することが好適である。これにより、長尺体３０ｚの筒が個々の包装体のサイズにカットされると共に、その軸方向端部が閉じられる。なお、カット位置を適宜変更することにより、集積包装体１０に含まれる物品２０の数を変更することができる。最後に、上記位置関係を維持したまま集積包装用フィルム３０を熱収縮させて、各物品２０が結束された集積包装体１０を製造する。熱収縮処理は、例えば、スチーム式や熱風式のシュリンクトンネルを用いて行うことができる。
【００３６】
以上のように、集積包装体１０によれば、遮蔽バー３６，３７を含む遮蔽部３５によって個別バーコード２３を遮蔽することができる。これにより、背景印刷領域３２の下（背後）に位置する個別バーコード２３の誤認を十分に防止できる。バーコードリーダの高感度化等に伴い、従来のラベルでは背景印刷領域３２で覆われた個別バーコード２３が読み取られる場合があるが、集積包装体１０は、遮蔽バー３６の機能により当該読み取りを防止する。
【００３７】
また、集積バーコード３３のバー３４と個別バーコード２３のバー２４とを互いに略垂直とし、遮蔽バー３６，３７を個別バーコード２３上においてバー２４と略平行とすることにより、集積バーコード３３の良好な読み取り性と、個別バーコード２３の良好な遮蔽性とを両立することができる。
【００３８】
図５〜図８に、集積バーコード表示部３１の変形例である集積バーコード表示部３１ｖ〜３１ｙを示す。ここでは、集積バーコード表示部３１と同じ構成要素には同一の符号を付して重複する説明を省略し、集積バーコード表示部３１との相違点を主に説明する。
【００３９】
図５に示す集積バーコード表示部３１ｖには、背景印刷領域３２の左右両端部から該領域内に延びた互いに略平行な複数の遮蔽バー３６ｖ、及び該領域外に延びた互いに略平行な複数の遮蔽バー３７ｖが形成されている。遮蔽バー３６ｖは、背景印刷領域３２の左右両端部から所定の長さ範囲内のみに形成されている。そして、左右の遮蔽バー３６ｖの間には、遮蔽部３５として機能する遮蔽文字３８が形成されている。例えば、上記商品名等の印字を遮蔽文字３８とすることができる。
なお、図５に示す例において、遮蔽文字３８を有さない形態、或いは遮蔽文字３８の代わりに左右の遮蔽バー３６ｖを繋げた形態としてもよい。
【００４０】
図６に示す集積バーコード表示部３１ｗでは、遮蔽バー３６ｗと遮蔽バー３７ｗとが略同一直線上に存在せず、遮蔽バー３７ｗが遮蔽バー３６ｗよりも下方に位置している。遮蔽バー３７ｗは、背景印刷領域３２の左右両端部の上下方向中央部に繋がっており、遮蔽バー３７ｗの延長線上には集積バーコード３３が存在する。このため、集積バーコード３３を避けて、遮蔽バー３７ｗよりも上方に遮蔽バー３６ｗが形成されている。
なお、図６に示す例において、集積バーコード３３の読み取り性を損なわない範囲で、集積バーコード３３を左右方向に横切る遮蔽バーを形成してもよい。
【００４１】
図７に示す集積バーコード表示部３１ｘには、多数の遮蔽バー３６ｘ，３７ｘが形成されている。遮蔽バー３６ｘは、集積バーコード３３が形成された部分を除く背景印刷領域３２内の略全域に形成されており、遮蔽バー３６ｘの延長線上に遮蔽バー３７ｘが形成されている。また、遮蔽バー３６ｘ，３７ｘの太さは、例えば、個別バーコード２３の最も太いバー２４よりも細くすることができる。遮蔽バー３６ｘ，３７ｘは、本数が多いため、その太さがバー２４以下であっても個別バーコード２３を十分に遮蔽することが可能である。
【００４２】
図８に示す集積バーコード表示部３１ｙでは、背景印刷領域３２ｙが左右方向に長く延びており、背景印刷領域３２ｙ内のみに遮蔽部（遮蔽バー３６ｙ）が形成されている。例えば、背景印刷領域３２ｙが複数の物品の個別バーコードを覆って配置される。この場合、遮蔽バー３６ｙによって複数の個別バーコードを遮蔽することができる。
【００４３】
なお、上記では、遮蔽部３５が遮蔽バー３６，３７又は遮蔽文字３８により構成されるものとしたが、遮蔽部はこれら以外の形態とすることもできる。遮蔽部は、例えば、●、▲、■等のドットや鎖線、種々の模様などから構成されてもよい。
【００４４】
＜第２実施形態＞
図９，１０を参照しながら、本発明の第２実施形態である集積包装体５０、及びこれを構成する集積包装用フィルム７０について詳説する。ここでは、第１実施形態との相違点を説明するものとし重複する説明は省略する。
【００４５】
図９は、集積包装体５０を斜め上方から見た斜視図である。
集積包装体５０では、複数（例えば、５つ）の金属容器である物品６０が上下方向に積み重ねられて集積物とされ、該集積物の全体が集積包装用フィルム７０で包装されている。物品６０は円柱形状を有し、集積包装体５０もまた円柱形状を有する。各物品６０の個別バーコード６３は、同じ方向を向いており、個別バーコード６３を構成する複数のバー６４が上下方向に延びている。
【００４６】
集積包装用フィルム７０は、集積バーコード表示部７１が複数の個別バーコード６３上に位置するように物品６０を包装している。具体的には、背景印刷領域７２が個別バーコード６３を覆って配置されており、背景印刷領域７２内に形成された遮蔽バー７６と背景印刷領域７２外に形成された遮蔽バー７７とを含む遮蔽部７５によって個別バーコード６３が遮蔽されている。遮蔽バー７６，７７は、上下方向に延びており、個別バーコード６３のバー６４と略平行となっている。これにより、個別バーコード６３の誤認を高度に防止できる。なお、バーコード７３のバー７４も、上下方向に延びている。即ち、遮蔽バー７６，７７は、バー７４に対して略平行である。
【００４７】
図１０は、集積包装体５０の変形例である集積包装体５０ｖを示す図である。
集積包装体５０ｖは、集積包装体５０の集積バーコード表示部７１の代わりに、図１に示す集積バーコード表示部３１と同様の集積バーコード表示部７１ｖを有している。遮蔽バー７６ｖ，７７ｖは、バーコード７３ｖのバー７４ｖに対して略垂直となる方向に延びている。そして、バー７４ｖが円柱の周方向に延び、遮蔽バー７６ｖ，７７ｖが個別バーコード６３のバー６４と略平行となるように集積包装用フィルム７０ｖが集積物に装着されている。バーコード７３ｖのバー７４ｖと、個別バーコード６３のバー６４とは、互いに略垂直であるから、バーコード７３ｖの読み取り性が向上する。
【符号の説明】
【００４８】
１０  集積包装体、２０  物品、２１  胴部、２２  キャップ部、２３  個別バーコード、２４，３４  バー、３０  集積包装用フィルム、３１  集積バーコード表示部、３２  背景印刷領域、３３  集積バーコード、３５  遮蔽部、３６，３７  遮蔽バー、３８  遮蔽文字、３９  印刷層、４０，４１  シール部。
【図１】
2014031177.tif 000003
【図２】
2014031177.tif 000004
【図３】
2014031177.tif 000005
【図４】
2014031177.tif 000006
【図５】
2014031177.tif 000007
【図６】
2014031177.tif 000008
【図７】
2014031177.tif 000009
【図８】
2014031177.tif 000010
【図９】
2014031177.tif 000011
【図１０】
2014031177.tif 000012
【図１１】
2014031177.tif 000013